(57)【要約】【課題】複数のディスクを装着して連続的に録音できるオーディオ装置において、録音が終了したディスクを取り出し、新たに録音したいディスクを装着すると、新たに装着したディスクを判別してそのディスクを録音できるようにするオーディオ装置を提供する【解決手段】チェンジャ１の最終トレイのディスク３の録音終了後、さらに最初のトレイのディスクを装着してＴＯＣ情報を読み、ＴＯＣ情報デコーダ１１でデコードしてＴＯＣ情報メモリ１２に記憶する。ＴＯＣ情報解析部１３でＴＯＣ情報メモリ１２に記録されている既に録音したディスクのＴＯＣ情報と比較して、異なる場合のみ録音可とする。このように順次最終トレイまで繰り返す。【選択図】図１
2005293651.tif 000002
【特許請求の範囲】
【請求項１】
複数の再生用の第１の記録媒体を連続再生できるとともに録音の途中で前記第１の記録媒体の入れ替えが可能な再生手段と、
前記複数の第１の記録媒体のＴＯＣ情報を保存するＴＯＣ情報記憶手段と、
前記第１の記録媒体の再生内容を第２の記録媒体に記録する記録手段と、
前記第１の記録媒体のＴＯＣ情報と前記ＴＯＣ情報記憶手段の記憶内容を比較する解析手段とを備え、
前記解析手段において前記第１の記録媒体のＴＯＣ情報と前記ＴＯＣ情報記憶手段の記憶内容を比較して同じでないときに、前記記録手段に前記第１の記録媒体の再生内容の記録を許可することを特徴とするオーディオ装置。
【請求項２】
前記複数の再生用の第１の記録媒体の再生終了後に再度第１の記録媒体のＴＯＣ情報を読み出して前記ＴＯＣ情報記憶手段に保存してある記憶内容と比較して異なる場合のみ前記第１の記録媒体の再生内容を前記記録手段に記録することを許可することを特徴とする請求項１記載のオーディオ装置。
【請求項３】
前記解析手段はＴＯＣ情報から得た前記第２の記録媒体の記録可能残時間とＴＯＣ情報から得られる前記第１の記録媒体の記録しようとする内容の時間とを比較して前者が大の場合のみ前記第２の記録媒体への記録を許可することを特徴とする請求項１または２記載のオーディオ装置。
【発明の詳細な説明】
【技術分野】
【０００１】
本発明は、ディスクの記録内容を他の記録媒体に録音できるオーディオ装置に関し、さらに詳しくは複数のディスクを装着してその内容を再生してそれを他の記録媒体に録音するとき、録音途中に録音の終了したディスクを取り出して新たなディスクと入れ替えると、未録音のディスクと新たに入れ替えたディスクとを継続して録音することが可能なオーディオ装置に関する。
【背景技術】
【０００２】
近年、コンパクトディスク（以下ＣＤ）を装着して再生し、再生内容を他の記録媒体、たとえばミニディスク（以下ＭＤ）に録音するものが広く用いられている（たとえば特許文献１参照）。
【０００３】
また、このようなオーディオ装置において、再生側のディスクを通常再生速度より速い速度で回転させて高速で録音できるものも多く用いられている。
【０００４】
さらにこの種のオーディオ装置において複数のディスクを装着できるチェンジャを搭載し、それぞれのディスクを再生して、再生内容を他の記録媒体に連続録音するものがあり、ディスクトレイに録音したいディスクを入れ、録音操作を行って連続録音させる。録音終了後、更に録音したいディスクがある場合には、ディスクを交換して再度録音操作を繰り返さなければならない。
【特許文献１】特開２０００−１３２９０９号公報
【発明の開示】
【発明が解決しようとする課題】
【０００５】
上記のように、複数のディスクを装着でき、連続的に録音できるオーディオ装置においては、収容できるディスク数以上にさらに録音したいディスクがある場合には、収容したディスクをいったん全て取り出して、録音したいディスクを装着し、再度録音操作を行うなど手間がかかり、時間のロスも発生していた。
【０００６】
本発明は、このようなとき、録音が終了したディスクを取り出し、新たに録音したいディスクを装着すると、新たに装着したディスクを判別してそのディスクを録音できるようにするオーディオ装置を提供することを目的とする。
【課題を解決するための手段】
【０００７】
この課題を解決するための本発明のオーディオ装置は、複数の再生用の第１の記録媒体を連続再生できるとともに録音の途中で前記第１の記録媒体の入れ替えが可能な再生手段と、前記複数の第１の記録媒体のＴＯＣ情報を保存するＴＯＣ情報記憶手段と、前記第１の記録媒体の再生内容を第２の記録媒体に記録する記録手段と、前記第１の記録媒体のＴＯＣ情報と前記ＴＯＣ情報記憶手段の記憶内容を比較する解析手段とを備え、前記解析手段において前記第１の記録媒体のＴＯＣ情報と前記ＴＯＣ情報記憶手段の記憶内容を比較して同じでないときに、前記記録手段に前記第１の記録媒体の再生内容の記録を許可することを特徴とするものである。
【発明の効果】
【０００８】
本発明のオーディオ装置は、上記のような構成によって、複数の第１の記録媒体の記録内容を第２の記録媒体に複写できるとともに、前記第１の記録媒体のＴＯＣ情報と前記ＴＯＣ情報記憶手段の記憶内容を比較して同じでないときだけに前記記録手段に記録を許可するので、最初に装着したディスクに加えて、途中から入れ替えたディスクも録音でき、重複録音したり、未録音のトラックが残ったりすることがない。
【発明を実施するための最良の形態】
【０００９】
（実施の形態１）
以下、本発明の実施の形態１のオーディオ装置を図面に基づいて説明する。図１は実施の形態１におけるオーディオ装置のブロック図、図２は同じく複数のディスクを連続録音する場合の動作フローチャートを示す。
【００１０】
本実施形態のオーディオ装置において、複数の第１の記録媒体であるＣＤを連続再生する再生手段は、チェンジャ１内の複数のトレイ２上にディスク３を複数枚セットし、トレイ２上のディスク３を１枚ずつ取り出して再生装置４にセットしてピックアップ５によって情報を取り出すことができる。再生されたデータは記録手段である記録装置６に装着した記録用のＭＤ７に記録用のピックアップ８により記録される。この記録は信号記録制御部９により制御され、信号記録制御部９はシステムコントローラ１０により制御される。
【００１１】
一方、ディスク３からピックアップ５によって取り出されたＴＯＣ情報はＴＯＣ情報デコーダ１１によりディスク内のＴＯＣ情報を認識し、ＴＯＣ情報記憶手段であるＴＯＣ情報メモリ１２にディスク内のＴＯＣ情報を記憶させる。解析手段であるＴＯＣ情報解析部１３はシステムコントローラ１０に制御されてＴＯＣ情報メモリ１２の内容を読み出して解析する。チェンジャ制御部１４はシステムコントローラ１０の制御のもとにチェンジャ１内のトレイ２の駆動を制御する。
【００１２】
その他のオーディオ装置の詳細は、前記の特許文献１や他の文献によって公知のものであり、詳細な説明を省略する。
【００１３】
この装置は、高速録音のとき、ある程度の時間すなわち高速録音トラックの総時間だけ、同じディスクを高速録音できないようにする機能を持っているものとする。このため高速録御中の再生ディスクのＴＯＣデータは、ＴＯＣ情報メモリ１２に記憶され、録音してからある程度の時間が経過しているか、を、ＴＯＣ情報解析部１３で判別し、録音からある程度の時間が経過していない場合、信号記録制御部９により録音媒体のＭＤ７の録音を開始させない。
【００１４】
また、トレイ２上のディスク３の指定されたトラックを録音終了すると、システムコントローラ１０からチェンジャ制御部１４にトレイ上のディスクを交換するかどうかの命令を出す。
【００１５】
以上のように構成されたオーディオ装置について、以下その動作を図２のフローチャートを併用して説明する。ステップＳ１で一度チェンジャ１のトレイ２上にセットされた全ディスクが録音終了した後、ステップＳ２で一番目のトレイのディスクを再生装置４に装着してピックアップ５をセットし、ステップＳ３でディスク３のＴＯＣ情報を読みにいき、そのＴＯＣ情報が、ステップＳ４でＴＯＣ情報メモリ１２に最初にセットした、録音されたディスクのＴＯＣ情報かどうかを、ＴＯＣ情報解析部１３で判別する。
【００１６】
ＴＯＣ情報が未録音のディスクである場合は、新たに今読み出したＴＯＣ情報をメモリ１２に追加し、ステップＳ５でそのディスクを録音する。
【００１７】
ステップＳ４で録音済みのＴＯＣ情報と同じであった場合は、ステップＳ６でトレイの番号を調べて、最終の番号でなければ、ステップＳ９へ飛び、次のトレイのディスクにピックアップ５をセットして、ステップＳ３で次のトレイのディスクのＴＯＣ情報を読み出し、ステップＳ４で未録音のディスクのＴＯＣ情報かを調べ、ステップＳ６で最終のトレイが録音済みとなるまで、チェンジャ制御部１４によって、Ｓ９でディスク３にピックアップ５をセットさせるトレイを順次入れ替える。
【００１８】
また最終トレイのディスク３が未録音のＴＯＣ情報を持つ場合は、ステップＳ７からステップＳ２に戻り、１番目のトレイから同じ手順を繰り返すことによって、最終的に、最初にトレイにセットしたディスクに付け加えて、連続録音途中に入れ替えたディスクを見いだして、連続録音できる。
【００１９】
以上のように、本実施形態によれば、チェンジャの最終トレイのディスクが録音終了した後で、再度最初のトレイから再生装置にセットして、そのディスクのＴＯＣ情報がＴＯＣ情報メモリにセットされた、既に録音されたものと同じかどうかをチェックしながら、未録音のものであれば録音するので、最初にチェンジャのトレイにセットされたディスクに加え、連続録音途中でチェンジャのトレイ上に入れ替えたディスクも録音でき、、重複録音したり、未録音のトラックが残ったりすることがない。
【００２０】
（実施の形態２）
図３は本発明の実施の形態２における動作フローチャートを示す。実施の形態２においては、再生トラックの時間が、録音媒体であるＭＤ７の録音残時間より大きいかどうかを判断し、再生トラック時間が大であれば録音を中止する手段を加えたものである。
【００２１】
実施の形態１のＳ４において、解析手段であるＴＯＣ情報解析部１３は、録音済みのＴＯＣ情報が存在しない場合、すなわち録音すべきトラックが存在する場合、図３のＳ１０で録音媒体ディスクのＭＤ７のＴＯＣ情報を読み、録音残時間を求め、Ｓ１１で、Ｓ３で読み出したＴＯＣ情報から再生トラック時間を求め、再生トラック時間がＭＤ７の録音残時間より大でなければ、Ｓ１２で再生ディスクのトラックのデータをＭＤ７に録音して図２のＳ７の判断に移る。
【００２２】
Ｓ１１で再生トラックの時間がＭＤ７の録音残時間より大であれば、Ｓ１３で録音を終了する。
【００２３】
このように、本実施形態によれば、実施の形態１の特徴に加えて、録音すべき再生トラックの時間が、録音媒体の録音残時間より大であれば、録音を中止するので、トラックの途中で録音が中断することがない。
【００２４】
なお、以上の各実施形態では、再生用の第１の記録媒体にコンパクトディスク（ＣＤ）を、記録用の第２の記録媒体にミニディスク（ＭＤ）を用いた場合を例示したが、第１の記録媒体が記録も可能なものであってもよく、ＴＯＣ情報を持っているものであれば、第１，第２の記録媒体とも他の記録媒体であってもよい。
【００２５】
また、第１の記録媒体の再生速度については特に触れなかったが、通常再生速度以外に高速で再生する場合を含むのは当然である。
【００２６】
また、チェンジャ１の最終トレイのディスク終了後に図２のフローチャートに入る条件として、チェンジャ制御部１４が、最初の録音開始後にディスク交換の指示を受けた場合のみとしてもよい。これによって、録音途中でディスク交換がなかったとき、無用なＴＯＣ情報の検索を防ぐことができる。
【００２７】
さらに、ここでは説明を省略したが、再生ディスクの複数のトラックのうち、特定のトラックのみを選択して再生する場合も含むものである。
【産業上の利用可能性】
【００２８】
以上のように本発明のオーディオ装置によれば、複数の第１の記録媒体の記録内容を第２の記録媒体に複写できるとともに、前記第１の記録媒体のＴＯＣ情報と前記ＴＯＣ情報記憶手段の記憶内容を比較して同じでないときだけに前記記録手段に記録を許可するので、最初に装着したディスクに加えて、途中から入れ替えたディスクも録音でき、重複録音したり、未録音のトラックが残ったりすることがない。
【００２９】
また前記解析手段はＴＯＣ情報から得た前記第２の記録媒体の記録可能残時間とＴＯＣ情報から得られる前記第１の記録媒体の記録しようとする内容の時間とを比較して前者が大の場合のみ前記第２の記録媒体への記録を許可するので、録音途中で録音が停止するということも起きない、という産業上有利な効果を持っている。
【図面の簡単な説明】
【００３０】
【図１】実施の形態１におけるオーディオ装置のブロック図
【図２】同じく複数のディスクを連続録音する場合の動作フローチャート
【図３】本発明の実施の形態２における動作フローチャート
【符号の説明】
【００３１】
１    チェンジャ
２    トレイ
３    ディスク
４    再生装置
５    ピックアップ
６    記録装置
７    ミニディスク
８    記録用のピックアップ
９    信号記録制御部
１０    システムコントローラ
１１    ＴＯＣ情報デコーダ
１２    ＴＯＣ情報メモリ
１３    ＴＯＣ情報解析部
１４    チェンジャ制御部
【図１】
2005293651.tif 000003
【図２】
2005293651.tif 000004
【図３】
2005293651.tif 000005